(57)【要約】【課題】簡易且つ安価な構成で電圧低下を適切に検出する。【解決手段】本電圧低下検出回路は、電源に接続され、第１の電磁リレーを含む自己保持部と、電源からの出力電圧が所定電圧以上である場合に所定時間第１の電磁リレーのコイルを励磁させると共に所定時間出力を出すための常開接点を閉路又は常閉接点を開路させる第２の電磁リレーを含む出力部とを有する。そして、第１の電磁リレーは、励磁された場合に自己保持回路を形成するものである。このように簡易且つ安価な構成で、適切に電圧低下を検出することができる。【選択図】図１
2008215922.tif 000002
【特許請求の範囲】
【請求項１】
電源に接続され、第１の電磁リレーを含む自己保持部と、
前記電源からの出力電圧が所定電圧以上である場合に所定時間前記第１の電磁リレーのコイルを励磁させると共に前記所定時間出力を出すための常開接点を閉路又は常閉接点を開路させる第２の電磁リレーを含む出力部と、
を有し、
前記第１の電磁リレーは、励磁された場合に自己保持回路を形成する
電圧低下検出回路。
【請求項２】
前記自己保持部が、
前記出力部に前記電源からの出力電圧が所定電圧以上であることを通知するための第３の電磁リレーを含む
請求項１記載の電圧低下検出回路。
【請求項３】
前記第１の電磁リレーの常閉接点により、前記自己保持回路が形成されていない時間に出力を出す
ことを特徴とする請求項２記載の電圧低下検出回路。
【請求項４】
前記自己保持部が、感度調整用の可変インピーダンスを含む
請求項１乃至３のいずれか１つ記載の電圧低下検出回路。
【請求項５】
三相電源の第１の相を担当し、第１の電磁リレーを含む第１自己保持部と、
前記三相電源の第２の相を担当し、第２の電磁リレーを含む第２自己保持部と、
前記三相電源の第３の相を担当し、第３の電磁リレーを含む第３自己保持部と、
前記三相電源の三相全ての電圧が所定電圧以上である場合に所定時間前記第１乃至第３の電磁リレーのコイルを励磁させると共に前記所定時間出力するための常開接点を閉路又は常閉接点を開路させる第４の電磁リレーを含む出力部と、
を有し、
前記第１の電磁リレーは、励磁された場合に自己保持回路を形成し、
前記第２の電磁リレーは、励磁された場合に自己保持回路を形成し、
前記第３の電磁リレーは、励磁された場合に自己保持回路を形成する
電圧低下検出回路。
【請求項６】
前記第１自己保持部が、前記出力部に、担当する相の電圧が前記所定電圧以上であることを通知するための第５の電磁リレーを含み、
前記第２自己保持部が、前記出力部に、担当する相の電圧が前記所定電圧以上であることを通知するための第６の電磁リレーを含み、
前記第３自己保持部が、前記出力部に、担当する相の電圧が前記所定電圧以上であることを通知するための第７の電磁リレーを含む
請求項５記載の電圧低下検出回路。
【請求項７】
前記第５乃至第７の電磁リレーの常閉接点により、前記自己保持回路の少なくともいずれかが形成されていない時間に出力を出す
ことを特徴とする請求項５記載の電圧低下検出回路。
【請求項８】
前記第１乃至第３自己保持部は、感度調整用の可変インピーダンスを含む
請求項５乃至７のいずれか１つ記載の電圧低下検出回路。
【発明の詳細な説明】
【技術分野】
【０００１】
本発明は、交流電磁リレーを用いた電圧低下検出技術に関する。
【背景技術】
【０００２】
従来、瞬低などの電圧低下検出には、不足電圧継電器（リレー）などを用いて検出していた。このような不足電圧継電器を用いた場合、使用機器によっては過渡的な電圧低下で機器が停止したにもかかわらず、時限の設定によっては検出できない場合もある。例えば、運転回路にリレーの自己保持回路が組まれているものにおいて、電源の位相にもよるが当該リレーは１ｍｓ程度の電圧低下でも接点開離能力を持つものがあり、自己保持回路として利用されているとシステムに影響を与える。一方、これらの原因調査時の検出方法は、計測器などの検出機能に依存していた。この場合、検出タイミングがリレーと大きく異なっていると、警報や計測の不動作や不必要時の動作にもなっていた。
【０００３】
また、最近ではデジタルリレーが主流となっているが、高速で動作するものは価格が高く、過渡領域の検出が困難である場合もある。
【０００４】
また、例えば特開平１０−１７０５５７号公報には、変電所の変圧器一次側にＰＴ，ＰＤが設置されてない場合の一次側電圧低下現象を検出するための技術が開示されている。具体的には、タップ切替変圧器と電圧調整継電器を有し、電力系統の電圧低下時に変圧器のタップを切り換えて二次電圧を調整するものにおいて、電圧調整継電器の積分動作の開始からタップ上げ指令までの時間を計測し、Ｎ回連続して所定時間以下となったことを判定して変圧器一次側電圧の低下状況を検出するものである。しかし、複雑な回路が必要でコストが高くなる。
【特許文献１】特開平１０−１７０５５７号公報
【発明の開示】
【発明が解決しようとする課題】
【０００５】
従って、本発明の目的は、簡易且つ安価な構成で電圧低下を検出するための回路を提供することである。
【０００６】
また、本発明の他の目的は、簡易且つ安価な構成で動作領域を調整可能な電圧検出回路を提供することである。
【課題を解決するための手段】
【０００７】
本発明の第１の態様に係る電圧低下検出回路は、電源に接続され、第１の電磁リレーを含む自己保持部と、電源からの出力電圧が所定電圧以上である場合に所定時間第１の電磁リレーのコイルを励磁させると共に所定時間出力を出すための常開接点を閉路又は常閉接点を開路させる第２の電磁リレーを含む出力部とを有する。そして、第１の電磁リレーは、励磁された場合に自己保持回路を形成するものである。このように簡易且つ安価な構成で、適切に電圧低下を検出することができる。
【０００８】
また、上で述べた自己保持部が、出力部に電源からの出力電圧が所定電圧以上であることを通知するための第３の電磁リレーを含むようにしてもよい。動作を安定化させるためである。
【０００９】
さらに、第１の電磁リレーの常閉接点により、自己保持回路が形成されていない時間に出力を出すようにしてもよい。
【００１０】
また、上で述べた自己保持部が、感度調整用の可変インピーダンスを含むようにしてもよい。これによって動作領域を現状の回路に合わせたり、他の仕様に合わせるようにすることが容易になる。
【００１１】
本発明の第２の態様に係る電圧低下検出回路は、三相電源の第１の相を担当し、第１の電磁リレー（例えば実施の形態におけるコイルＭ−１を含む電磁リレー）を含む第１自己保持部と、三相電源の第２の相を担当し、第２の電磁リレー（例えば実施の形態におけるコイルＭ−２を含む電磁リレー）を含む第２自己保持部と、三相電源の第３の相を担当し、第３の電磁リレー（例えば実施の形態におけるコイルＭ−３を含む電磁リレー）を含む第３自己保持部と、三相電源の三相全ての電圧が所定電圧以上である場合に所定時間第１乃至第３の電磁リレーのコイルを励磁させると共に所定時間出力するための常開接点を閉路又は常閉接点を開路させる第４の電磁リレー（例えば実施の形態におけるコイルＨ−１又はＨ−２を含む電磁リレー）を含む出力部とを有する。そして、第１の電磁リレーは、励磁された場合に自己保持回路を形成し、第２の電磁リレーは、励磁された場合に自己保持回路を形成し、第３の電磁リレーは、励磁された場合に自己保持回路を形成するものである。このように、単相だけではなく三相電源にも対応することができる。
【００１２】
また、上で述べた第１自己保持部が、出力部に、担当する相の電圧が所定電圧以上であることを通知するための第５の電磁リレー（例えば実施の形態におけるコイルＭII−１を含む電磁リレー）を含み、上で述べた第２自己保持部が、出力部に、担当する相の電圧が所定電圧以上であることを通知するための第６の電磁リレー（例えば実施の形態におけるコイルＭII−２を含む電磁リレー）を含み、上で述べた第３自己保持部が、出力部に、担当する相の電圧が所定電圧以上であることを通知するための第７の電磁リレー（例えば実施の形態におけるコイルＭII−３を含む電磁リレー）を含むようにしてもよい。動作を安定化させるためである。
【００１３】
さらに、上で述べた第５乃至第７の電磁リレーの常閉接点により、自己保持回路の少なくともいずれかが形成されていない時間に出力を出すようにしてもよい。
【００１４】
また、上で述べた第１乃至第３自己保持部は、感度調整用の可変インピーダンスを含むようにしてもよい。
【００１５】
上で述べた発明は、以下の実施の形態に述べられる回路に限定するものではない。
【発明の効果】
【００１６】
本発明によれば、簡易且つ安価な構成で電圧低下を適切に検出することができるようになる。
【００１７】
また、本発明の他の側面によれば、簡易且つ安価な構成で動作領域を調整可能な電圧検出回路を提供することができる。
【発明を実施するための最良の形態】
【００１８】
［実施の形態１］
本発明の第１の実施の形態に係る電圧低下検出回路を図１に示す。本実施の形態に係る電圧低下検出回路は、ＡＣリレー部と、タイマー部とを含む。ＡＣリレー部は、第１電磁リレーのコイルＭと、第１電磁リレーの常開接点Ｍ１と、タイマー（インターバル）機能付き第２電磁リレーの常開接点Ｈ１と、可変インピーダンスＺｃとを含む。第１電磁リレーのコイルＭと、第１電磁リレーの常開接点Ｍ１とで自己保持回路を構成する。また、タイマー部は、タイマー（インターバル）機能付き第２電磁リレーのコイルＨと、第１電磁リレーの常閉接点Ｍ３と、第２電磁リレーの常開接点Ｈ３とを含む。電圧低下記録装置や警報機などに接続される出力には、第２電磁リレーの常開接点（又は常閉接点）Ｈ２が接続される。
【００１９】
そして、第２電磁リレーの常開接点Ｈ１と第１電磁リレーの常開接点Ｍ１とは、並列に、ＡＣ電源の第１の端子に接続すると共に、第１電磁リレーのコイルＭに接続されている。第１電磁リレーのコイルＭは、可変インピーダンスＺｃと直列に接続され、可変インピーダンスＺｃは、ＡＣ電源の第２の端子に接続されている。
【００２０】
また、第１電磁リレーの常閉接点Ｍ３と第２電磁リレーの常開接点Ｈ３とは、並列に、ＡＣ電源の第１の端子に接続すると共に、第２電磁リレーのコイルＨに接続されている。第２電磁リレーのコイルＨは、ＡＣ電源の第２の端子に接続されている。
【００２１】
なお、第１電磁リレーは、例えばオムロン株式会社のＭＹ４Ｎ型の電磁リレーが用いられ、第２電磁リレーには、例えばオムロン株式会社のＨ３ＹＮ−４型をインターバルタイマーに設定した電磁リレーが用いられる。
【００２２】
次に図１に示した電圧低下検出回路の動作について説明する。ＡＣ電源からの出力が所定電圧以上になると、第１電磁リレーの常閉接点Ｍ３を介して電流が流れ第２電磁リレーのコイルＨが励磁され、第２電磁リレーの常開接点Ｈ１、常開接点Ｈ２及び常開接点Ｈ３がそれぞれ閉路されると共に第２電磁リレーのタイマーがスタートする。この際、閉路された、第２電磁リレーの常開接点Ｈ２により、出力に接続された電圧低下記録回路や警報機にはオンが通知される。
【００２３】
これにより、第２電磁リレーの常開接点Ｈ１が閉路されて電流が流れるので、第１電磁リレーのコイルＭが励磁され、第１電磁リレーの常開接点Ｍ１は閉路され、第１電磁リレーの常閉接点Ｍ３は開路される。このようにして、第１電磁リレーのコイルＭと常開接点Ｍ１によって自己保持回路が形成される。なお、第２電磁リレーのタイマーは設定時間を経過すると、第２電磁リレーの常開接点Ｈ１、常開接点Ｈ２及び常開接点Ｈ３を開路させる。タイマーの設定期間を経過すると、第２電磁リレーの常開接点Ｈ３は開路されるので、第２電磁リレーのコイルＨには電流が流れなくなる。また、第２電磁リレーの常開接点Ｈ２が開路されるので、接続されている電圧低下記録装置などに対する出力が停止される。
【００２４】
このように、通常の起動時には、タイマー部が最初に起動して、ＡＣリレー部を動作させ、ＡＣリレー部に自己保持回路を形成する。第２電磁リレーのタイマー設定期間が経過すると、タイマー部は停止してしまうが、自己保持回路によってＡＣリレー部は動作を継続する。
【００２５】
そして、ＡＣ電源に電圧低下が発生すると、第１電磁リレーの常開接点Ｍ１からの電流の減少により、第１電磁リレーのコイルＭの励磁が解け、第１電磁リレーの常開接点Ｍ１が開路され、第１電磁リレーの常閉接点Ｍ３が閉路される。すなわち、自己保持回路が解除される。
【００２６】
ＡＣ電源の電圧が復帰すれば、上で述べた起動時の動作を行って、電圧低下記録装置などには、出力がなされることになる。すなわち、電圧低下の発生を記録することができる。
【００２７】
ＡＣリレー部に含まれる可変インピーダンスＺｃは、自己保持の解除の感度調整に用いられる。次に、この可変インピーダンスＺｃの効果について説明する。比較の対象として、図２に示すような回路を想定する。図２の回路は、ＡＣ電源の第１の端子と第２の端子の間に、停止スイッチＳ２と、始動スイッチＳ１と、図１における第１電磁リレーと同じ電磁リレーにおけるコイルＭとを直列に接続し、始動スイッチＳ１と、電磁リレーの常開接点Ｍ４乃至Ｍ７の直列接続とを並列に接続したものである。始動スイッチＳ１をオンにすると、ＡＣ電源から電流が流れて電磁リレーのコイルＭが励磁し、常開接点Ｍ４乃至Ｍ７が全て閉路する。すなわち、コイルＭと常開接点Ｍ４乃至Ｍ７で自己保持回路が形成される回路である。停止スイッチＳ２をオフにすると、コイルＭの励磁が解け、自己保持回路が解除される。
【００２８】
図１及び図２のような回路に、図３に示すような試験電圧を加えるものとする。図３において縦軸は電圧（Ｖ）を表し、横軸は位相（度）を表す。なお、図３における正弦波ａ（ここでは５０Ｈｚとする）が通常の電圧波形であるが、瞬低を模擬的に発生するため、一部の電圧を強制的に下げる。例えば、電圧を２０％に下げる場合には、一時的に、正弦波ａの２０％の振幅を有する正弦波ｂになるようにする。図３の例では、開始位相６３度から２ｍｓだけ２０％の電圧に低下させ、その他の部分については通常の正弦波ａとする場合を示している。ここで、電圧低下度合いを変化させ、開始位相を変化させ、さらに電圧低下時間を変化させた例を、図４乃至図８に示す。
【００２９】
図４は、電圧低下時間を１ｍｓとして開始位相及び電圧レベルを変化させ、図１の回路において可変インピーダンスＺｃを変化させた場合及び図２の回路の場合を示している。図５は、電圧低下時間を２ｍｓとして開始位相及び電圧レベルを変化させ、図１の回路において可変インピーダンスＺｃを変化させた場合及び図２の回路の場合を示している。図６は、電圧低下時間を５ｍｓとして開始位相及び電圧レベルを変化させ、図１の回路において可変インピーダンスＺｃを変化させた場合及び図２の回路の場合を示している。図７は、電圧低下時間を１０ｍｓとして開始位相及び電圧レベルを変化させ、図１の回路において可変インピーダンスＺｃを変化させた場合及び図２の回路の場合を示している。図８は、電圧低下時間を２０ｍｓとして開始位相及び電圧レベルを変化させ、図１の回路において可変インピーダンスＺｃを変化させた場合及び図２の回路の場合を示している。
【００３０】
図４において、同じマークを繋ぐ線で囲まれる内側が自己保持の解除が行われる領域である。図２の回路において自己保持が解除される領域と、図１の回路において可変インピーダンスＺｃ＝０とした場合に自己保持が解除される領域とはほぼ同じであるが、一部図１の回路において可変インピーダンスＺｃ＝０とした場合には自己保持が維持されるが、図２の回路の場合自己保持が解除されてしまう領域（０ｋΩ非検出領域）が生じてしまう。可変インピーダンスＺｃを大きくすれば、自己保持が解除される領域は大きくなるので、ぴったりと同じ領域をカバーするようにすることは難しいとしても、可変インピーダンスＺｃを調整すれば、ほぼ同じ領域をカバーするような可変インピーダンスＺｃを見つけることはできる。また、特定の領域をカバーするように設定することを要求された場合においても、可変インピーダンスＺｃを調整することによって可能となる。
【００３１】
図５においても、形は異なるが、図１の回路において可変インピーダンスＺｃ＝０とした場合には自己保持が維持されるが、図２の回路の場合自己保持が解除されてしまう領域（０ｋΩ非検出領域）が生じてしまう。但し、可変インピーダンスＺｃを調整すれば、図２の回路の場合自己保持が解除されてしまう領域をカバーするように設定することは可能である。
【００３２】
図６においては、自己保持が解除される領域が大幅に増加するが、可変インピーダンスＺｃを調整すれば、図２の回路の場合自己保持が解除されてしまう領域をカバーするように設定できる。
【００３３】
図７においては、図１の回路において可変インピーダンスＺｃ＝０とした場合には自己保持が維持されるが、図２の回路の場合自己保持が解除されてしまう領域（０ｋΩ非検出領域）と、図１の回路において可変インピーダンスＺｃ＝１０ｋΩとした場合にも自己保持が維持されるが、図２の回路の場合自己保持が解除されてしまう領域（１０ｋΩ非検出領域）とが生ずる。このような場合には、図２の回路の場合自己保持が解除されてしまう領域をカバーするには、１０ｋΩを超える値に可変インピーダンスＺｃを設定する必要が出てくる。
【００３４】
図８においては、図１の回路において可変インピーダンスＺｃ＝０とした場合には自己保持が維持されるが、図２の回路の場合自己保持が解除されてしまう領域（０ｋΩ非検出領域）が生じてしまう。但し、１０ｋΩ非検出領域は消滅している。このような場合にも、可変インピーダンスＺｃを調整すれば、図２の回路の場合自己保持が解除されてしまう領域をカバーするように設定できる。
【００３５】
以上のように、工場などにおける様々な状況に合わせて可変インピーダンスＺｃを調整することで、記録や警報のタイミングなどの環境を大きく変化させることなく、簡易に且つ低コストで電圧低下を検出することができるようになる。
【００３６】
また、可変インピーダンスＺｃを調整することで検出の感度を調整できるため、従来過渡的な電圧低下で計測困難な領域にも対処できるようになる。
【００３７】
さらに、タイマー機能付き第２電磁リレーを導入しているため、繰り返し電圧低下が発生するような場合にも繰り返し電圧低下の記録や警報が可能となっている。
【００３８】
［実施の形態２］
第１の実施の形態に係る電圧低下検出回路では、第２電磁リレーのコイルＨが再度励磁してタイマーが再度計測を開始し、タイマーが切れるまでに、第１電磁リレーのコイルＭが励磁しないと、復帰できない場合が生じ得る。
【００３９】
そこでそのような場合が生じないようにした、第２の実施の形態に係る電圧低下検出回路を図９に示す。第１の実施の形態に係る電圧低下検出回路との差は、動作電圧有無判別のための第３電磁リレーをＡＣリレー部に導入した点である。第３電磁リレーのコイルＭIIは、第１電磁リレーのコイルＭ並びに第１電磁リレーの常開接点Ｍ１及び第２電磁リレーの常開接点Ｈ１と並列になるように、動作領域の調整用の可変インピーダンスＺｃと接続されている。また、第３電磁リレーの常開接点ＭII１は、第２電磁リレーのコイルＨと、第１電磁リレーの常閉接点Ｍ３及び第２電磁リレーの常開接点Ｈ３との間に挿入されている。また、本電圧低下検出回路の接点出力には、第２電磁リレーの常開接点Ｈ２に並列に第１電磁リレーの常閉接点Ｍ２が接続されており、第２電磁リレーのタイマー動作期間に加えて、自己保持が解除されている期間も出力がなされるように変更されている。
【００４０】
より具体的には、ＡＣリレー部は、第１電磁リレーのコイルＭと、可変インピーダンスＺｃと、第２電磁リレーの常開接点Ｈ１と、第１電磁リレーの常開接点Ｍ１と、第３電磁リレーのコイルＭIIとを含む。第３電磁リレーは、第１電磁リレーと同じものを用いればよい。電源の第１端子Ｒには、第３電磁リレーのコイルＭIIと、第２電磁リレーの常開接点Ｈ１と、第１電磁リレーの常開接点Ｍ１とが接続され、さらに第２電磁リレーの常開接点Ｈ１及び第１電磁リレーの常開接点Ｍ１は第１電磁リレーのコイルＭに接続される。第３電磁リレーのコイルＭIIと、第２電磁リレーの常開接点Ｈ１、第１電磁リレーの常開接点Ｍ１及び第１電磁リレーのコイルＭからなる回路とは並列になっており、同じく可変インピーダンスＺｃの一端に接続される。可変インピーダンスＺｃの他端は、電源の第２の端子Ｓに接続される。
【００４１】
また、タイマー部は、第１電磁リレーの常閉接点Ｍ３と、第２電磁リレーの常開接点Ｈ３と、第３電磁リレーの常開接点ＭII１と、第２電磁リレーのコイルＨとを含む。タイマー部の電源の第１端子Ｒには、第１電磁リレーの常閉接点Ｍ３と第２電磁リレーの常開接点Ｈ３とが接続され、これらの接点は並列に第３電磁リレーの常開接点ＭII１に接続する。第３電磁リレーの常開接点ＭII１は、第２電磁リレーのコイルＨに接続され、第２電磁リレーのコイルＨは、タイマー部の電源の第２端子Ｓに接続される。タイマー部の電源は、ＡＣリレー部の電源と同じ場合もあれば、別系統の電源やＵＰＳ（Uninterruptible Power Supply）等の安定化電源であっても良い。
【００４２】
次に、図９に示した電圧低下検出回路の動作について説明する。最初に、ＡＣリレー部に接続されている電源が所定の電圧まで上昇すると、電流が流れて、動作電圧有無判別用の第３電磁リレーのコイルＭIIが励磁され、第３電磁リレーの常開接点ＭII１が閉路される。そうすると、第１電磁リレーの常閉接点Ｍ３及び閉路された、第３電磁リレーの常開接点ＭII１とを介して電流が流れ、自己保持復帰出力用でタイマー機能付きの第２電磁リレーのコイルＨが励磁され、第２電磁リレーの常開接点Ｈ１、常開接点Ｈ２及び常開接点Ｈ３を閉路させる。タイマーも計時を開始する。なお、接点出力に接続されている電圧低下記録回路や警報機には、最初からＡＣリレー部における自己保持が解除されている状態なので、オンが通知されており、第２電磁リレーの常開接点Ｈ１が閉路されてもその状態に変化はない。
【００４３】
そして、第２電磁リレーの常開接点Ｈ１が閉路されると電流が流れるので、第１電磁リレーのコイルＭが励磁され、第１電磁リレーの常開接点Ｍ１が開路されると共に、第１電磁リレーの常閉接点Ｍ２及びＭ３が開路される。このように第１電磁リレーのコイルＭ及び第１電磁リレーの常開接点Ｍ１により自己保持回路が形成される。なお、この状態になっても、第２電磁リレーのタイマーが停止するまでは接点出力に接続されている電圧低下記録回路や警報機には、第２電磁リレーの常開接点Ｍ１が閉路されているので、オンが通知されている。
【００４４】
そして第２電磁リレーのタイマーが停止すると、第２電磁リレーの常開接点Ｈ１乃至Ｈ３は、全て開路される。そうすると、接点出力に接続されている電圧低下記録回路や警報機には、オフが通知されるようになる。
【００４５】
ここで、ＡＣリレー部に接続された電源の出力電圧が低下した場合、第３電磁リレーのコイルＭIIの励磁が解除され、第３電磁リレーの常開接点ＭII１が開路される。また、第１電磁リレーのコイルＭの励磁も解除され、第１電磁リレーの常開接点Ｍ１も開路される。従って、自己保持が解除される。さらに、第１電磁リレーの常閉接点Ｍ３は閉路され、第３電磁リレーのコイルＭIIが励磁された場合に備える。さらに、第１電磁リレーの常閉接点Ｍ２は閉路されるので、接点出力に接続された電圧低下記録回路や警報機にはオンが通知されるようになる。このような状態は、動作電圧有無判別用の第３電磁リレーのコイルＭIIが励磁されるまで続く。
【００４６】
第１の実施の形態では、この状態で直ぐに第２電磁リレーのコイルＨが励磁されてしまう場合があったが、本実施の形態では第３電磁リレーのコイルＭIIが励磁されない場合には、第１電磁リレーのコイルＭも第２電磁リレーのコイルＨも共に励磁されない。
【００４７】
再度、ＡＣリレー部が接続された電源の出力電圧が復帰し、第３電磁リレーのコイルＭIIが励磁されるようになると、上で述べた動作が再度行われて、第２電磁リレーのタイマーが停止するまで、接点出力に接続された電圧低下記録回路や警報機にはオンが通知される。
【００４８】
可変インピーダンスＺｃの効果は第１の実施の形態と同様である。
【００４９】
以上のような構成によって、第１の実施の形態同様、工場などにおける様々な状況に合わせて可変インピーダンスＺｃを調整することで、記録や警報のタイミングなどの環境を大きく変化させることなく、簡易に且つ低コストで電圧低下を検出することができるようになる。
【００５０】
［実施の形態３］
第２の実施の形態では単相電源にのみ対応していたが、図１０のような構成にすることによって３相電源に対応することができるようになる。
【００５１】
図１０に示すように、基本的には、ＡＣリレー部を３相分用意する。タイマー部については、基本的に３相全てが復帰している場合にタイマーが開始するように変更を加える。接点出力についても、１相でも電圧低下が発生している場合及びタイマーが開始している間に出力がなされるように変更が加えられている。
【００５２】
より具体的には、第１のＡＣリレー部は、第１電磁リレーのコイルＭ−１と、可変インピーダンスＺｃ1と、第２電磁リレーの常開接点Ｈ１−１と、第１電磁リレーの常開接点Ｍ１−１と、第３電磁リレーのコイルＭII−１とを含む。第３電磁リレーは、第１電磁リレーと同じものを用いればよい。３相電源の第１端子Ｒには、第３電磁リレーのコイルＭII−１と、第２電磁リレーの常開接点Ｈ１−１と、第１電磁リレーの常開接点Ｍ１−１とが接続され、さらに第２電磁リレーの常開接点Ｈ１−１及び第１電磁リレーの常開接点Ｍ１−１は第１電磁リレーのコイルＭ−１に接続される。第３電磁リレーのコイルＭII−１と、第２電磁リレーの常開接点Ｈ１−１、第１電磁リレーの常開接点Ｍ１−１及び第１電磁リレーのコイルＭ−１からなる回路とは並列になっており、同じく可変インピーダンスＺｃ1の一端に接続される。可変インピーダンスＺｃ1の他端は、３相電源の第２の端子Ｓに接続される。
【００５３】
また、第２のＡＣリレー部は、第４電磁リレーのコイルＭ−２と、可変インピーダンスＺｃ2と、第２電磁リレーの常開接点Ｈ１−２と、第４電磁リレーの常開接点Ｍ１−２と、第５電磁リレーのコイルＭII−２とを含む。第４及び第５電磁リレーは、第１及び第３電磁リレーと同じものを用いればよい。３相電源の第２端子Ｓには、第５電磁リレーのコイルＭII−２と、第２電磁リレーの常開接点Ｈ１−２と、第４電磁リレーの常開接点Ｍ１−２とが接続され、さらに第２電磁リレーの常開接点Ｈ１−２及び第４電磁リレーの常開接点Ｍ１−２は第４電磁リレーのコイルＭ−２に接続される。第５電磁リレーのコイルＭII−２と、第２電磁リレーの常開接点Ｈ１−２、第４電磁リレーの常開接点Ｍ１−２及び第４電磁リレーのコイルＭ−２からなる回路とは並列になっており、同じく可変インピーダンスＺｃ2の一端に接続される。可変インピーダンスＺｃ2の他端は、３相電源の第３の端子Ｔに接続される。
【００５４】
さらに、第３のＡＣリレー部は、第６電磁リレーのコイルＭ−３と、可変インピーダンスＺｃ3と、第２電磁リレーの常開接点Ｈ１−３と、第６電磁リレーの常開接点Ｍ１−３と、第７電磁リレーのコイルＭII−３とを含む。第６及び第７電磁リレーは、第１、第３乃至第５電磁リレーと同じものを用いればよい。３相電源の第３端子Ｔには、第７電磁リレーのコイルＭII−３と、第２電磁リレーの常開接点Ｈ１−３と、第６電磁リレーの常開接点Ｍ１−３とが接続され、さらに第２電磁リレーの常開接点Ｈ１−３及び第６電磁リレーの常開接点Ｍ１−３は第６電磁リレーのコイルＭ−３に接続される。第７電磁リレーのコイルＭII−３と、第２電磁リレーの常開接点Ｈ１−３、第６電磁リレーの常開接点Ｍ１−３及び第６電磁リレーのコイルＭ−３からなる回路とは並列になっており、同じく可変インピーダンスＺｃ3の一端に接続される。可変インピーダンスＺｃ3の他端は、３相電源の第１の端子Ｒに接続される。
【００５５】
タイマー部は、第１電磁リレーの常閉接点Ｍ３−１と、第４電磁リレーの常閉接点Ｍ３−２と、第６電磁リレーの常閉接点Ｍ３−３と、第２電磁リレーの常開接点Ｈ３−１と、第８電磁リレーの常開接点Ｈ３−２と、第３電磁リレーの常開接点ＭII１−１と、第５電磁リレーの常開接点ＭII１−２と、第７電磁リレーの常開接点ＭII１−３と、第２電磁リレーのコイルＨ−１と、第８電磁リレーのコイルＨ−２とを含む。タイマー機能付き第２電磁リレーのコイルＨ−１は、第８電磁リレーのコイルＨ−２と同じである。タイマー部の電源の第１端子Ｒには、第１電磁リレーの常閉接点Ｍ３−１と第４電磁リレーの常閉接点Ｍ３−２と第６電磁リレーの常閉接点Ｍ３−３と第２電磁リレーの常開接点Ｈ３−１と第８電磁リレーの常開接点Ｈ３−２とが接続され、これらの接点は並列に第３電磁リレーの常開接点ＭII１−１に接続する。この第３電磁リレーの常開接点ＭII１−１は、第５電磁リレーの常開接点ＭII１−２及び第７電磁リレーの常開接点ＭII１−３と直列に接続され、第７電磁リレーの常開接点ＭII１−３は、第２電磁リレーのコイルＨ−１及び第８電磁リレーのコイルＨ−２と接続される。第２電磁リレーのコイルＨ−１と第８電磁リレーのコイルＨ−２は、並列にタイマー部の電源の第２端子Ｓに接続される。タイマー部の電源Ｒ、Ｓは、ＡＣリレー部の電源と同じ線間電圧の場合もあれば、他の線間でもよく、別系統の電源やＵＰＳ等の安定化電源であっても良い。
【００５６】
なお、第８電磁リレーは、第２電磁リレーの接点数が不足する場合に必要であって、第２電磁リレーに十分な接点数があれば、不要となる。第２及び第８電磁リレーのタイマーは同じ時間を計時するように設定されている。
【００５７】
接点出力では、第８電磁リレーの常開接点Ｈ２と、第１電磁リレーの常閉接点Ｍ２−１と、第４電磁リレーの常閉接点Ｍ２−２と、第６電磁リレーの常閉接点Ｍ２−３とが、並列に接続されている。
【００５８】
次に図１０に示した回路の動作について説明する。第１乃至第３のＡＣリレー部の動作自体は第２の実施の形態と同様である。３相電源のいずれの相も動作電圧に達していない場合には、第１常閉接点Ｍ３−１乃至Ｍ３−３は閉路されており、常開接点Ｈ３−１及びＨ３−２は開路されており、常開接点ＭII１−１乃至ＭII１−３は開路されている。そして、常開接点Ｈ２は開路されているが、常閉接点Ｍ２−１乃至Ｍ２−３は閉路されているので、接点出力に接続されている電圧低下記録回路や警報機にはオンが通知されている。
【００５９】
そして、３相電源の全ての相が動作電圧に達すると、常開接点ＭII１−１乃至ＭII１−３が全て閉路されるので、電流が流れて第２電磁リレーのコイルＨ−１及び第８電磁リレーのコイルＨ−２は励磁され、常開接点Ｈ１−１乃至Ｈ１−３並びに常開接点Ｈ３−１及びＨ３−２が閉路される。常開接点Ｈ２も閉路される。また、第２電磁リレー及び第８電磁リレーのタイマーも動作を開始する。
【００６０】
そうすると第１電磁リレーのコイルＭ−１、第４電磁リレーのコイルＭ−２及び第６電磁リレーのコイルＭ−３が励磁されて、常開接点Ｍ１−１乃至Ｍ１−３を閉路すると共に、常閉接点Ｍ３−１乃至Ｍ３−３を開路する。これによって自己保持回路が形成される。さらに、常閉接点Ｍ２−１乃至Ｍ２−３も開路される。
【００６１】
第２電磁リレー及び第８電磁リレーのタイマーが停止すると、常開接点Ｈ３−１及びＨ３−２が開路され、常開接点Ｈ２も開路される。従って、接点出力に接続されている電圧低下記録回路や警報機にはオフが通知される。
【００６２】
一方、いずれかの相（例えば第１のＡＣリレー部が接続されている相）で電圧低下が発生すると、第３電磁リレーのコイルＭII−１の励磁が解除され、第３電磁リレーの常開接点ＭII１−１が開路される。また、第１電磁リレーのコイルＭ−１の励磁も解除され、第１電磁リレーの常開接点Ｍ１−１も開路される。従って、自己保持が解除される。さらに、第１電磁リレーの常閉接点Ｍ３−１は閉路され、第３電磁リレーのコイルＭII−１が励磁された場合に備える。さらに、第１電磁リレーの常閉接点Ｍ２−１は閉路されるので、接点出力に接続された電圧低下記録回路や警報機にはオンが通知されるようになる。このような状態は、動作電圧有無判別用の第３電磁リレーのコイルＭII−１が励磁されるまで続く。
【００６３】
再度、第１のＡＣリレー部が接続された相の出力電圧が復帰し、第３電磁リレーのコイルＭII−１が励磁されるようになると、上で述べた動作が再度行われて、第２電磁リレー及び第８電磁リレーのタイマーが停止するまで、接点出力に接続された電圧低下記録回路や警報機にはオンが通知される。
【００６４】
３相のうち２以上の相に電圧低下が発生した場合も同様である。この場合、全ての電圧低下が解消しないと、接点出力に接続された電圧低下記録回路や警報機にはオンが通知され続ける。
【００６５】
なお、可変インピーダンスＺｃ1、Ｚｃ2及びＺｃ3の効果は第１の実施の形態と同様である。
【００６６】
以上のような構成によって、３相電源に対しても対処することが可能となる。
【００６７】
以上本発明の実施の形態を説明したが、本発明はこれに限定されるものではない。例えば、自己保持領域判別用の電磁リレーについては、工場などで現在使用されている電磁リレーと同一の電磁リレーを用いるケースを説明したが、動作領域調整用の可変インピーダンスでうまく調整できる場合には、他の種類の電磁リレーを用いるようにしても良い。
【００６８】
また、予め適切なインピーダンス値が分かれば、可変インピーダンスの代わりに所定の固定インピーダンスを接続するようにしても良い。図９及び図１０の接点出力においては、常開接点を常閉接点に入れ替え、常閉接点を常開接点に入れ替えるようにしてもよい。
【００６９】
その他、上で述べた特徴を実現する他の構成を採用することも可能である。
【図面の簡単な説明】
【００７０】
【図１】本発明の第１の実施の形態に係る回路を示す図である。
【図２】従来技術に係る試験回路を示す図である。
【図３】試験を行う場合の電圧波形を示す図である。
【図４】電圧低下が１ｍｓである場合の動作状態を示す図である。
【図５】電圧低下が２ｍｓである場合の動作状態を示す図である。
【図６】電圧低下が５ｍｓである場合の動作状態を示す図である。
【図７】電圧低下が１０ｍｓである場合の動作状態を示す図である。
【図８】電圧低下が２０ｍｓである場合の動作状態を示す図である。
【図９】本発明の第２実施の形態に係る回路を示す図である。
【図１０】本発明の第３の実施の形態に係る回路を示す図である。
【符号の説明】
【００７１】
Ｍ，Ｈ，ＭII  電磁リレーのコイル
Ｈ＊，Ｍ＊，ＭII＊  電磁リレーの接点（＊は数字等）
【図１】
2008215922.tif 000003
【図２】
2008215922.tif 000004
【図３】
2008215922.tif 000005
【図４】
2008215922.tif 000006
【図５】
2008215922.tif 000007
【図６】
2008215922.tif 000008
【図７】
2008215922.tif 000009
【図８】
2008215922.tif 000010
【図９】
2008215922.tif 000011
【図１０】
2008215922.tif 000012